(57)【要約】【課題】患者の顔からずれることが無く、清潔でコスト面に優れた顔タオルを提供する。【解決手段】顔タオル１０は、略正方形をしたシート状部材に対し、当該シート状部材の一辺中央から中心に向けて略半楕円形状の切り欠きからなる切欠部１２を設けることで、全体の外観形状が略門型形状で形成され、略門型形状の略上半分が、患者の顔面の略上半分を覆う略矩形形状からなるシート部１１として構成され、略門型形状の略下半分が、切欠部１２の左右に形成されて患者の両頬から頚部にかけた部分を覆う一対の帯状部１３，１３として構成され、一対の帯状部１３，１３に挟まれた位置に設けられた切欠部１２が、顔タオル１０を患者の顔面に被せたときに、患者の鼻と口の部分を開放するとともに、一対の帯状部１３，１３同士が接することが無いように形成されている。【選択図】図１
0003232350.tif 000002
【実用新案登録請求の範囲】
【請求項１】
歯科診療を受ける患者の顔面に被せて用いられるとともに、一度の使用の後に廃棄される使い捨て用の顔タオルであって、
略正方形をしたシート状部材に対し、当該シート状部材の一辺中央から中心に向けて略半楕円形状の切り欠きからなる切欠部を設けることで、全体の外観形状が略門型形状で形成され、
前記略門型形状の略上半分が、患者の顔面の略上半分を覆う略矩形形状からなるシート部として構成され、
前記略門型形状の略下半分が、前記切欠部の左右に形成されて患者の両頬から頚部にかけた部分を覆う一対の帯状部として構成され、
前記一対の帯状部に挟まれた位置に設けられた前記切欠部が、顔タオルを患者の顔面に被せたときに、患者の鼻と口の部分を開放するとともに、前記一対の帯状部同士が接することが無いように形成されていることを特徴とする顔タオル。
【請求項２】
請求項１に記載の顔タオルであって、
綿１００％の素材で形成されていることを特徴とする顔タオル。
【請求項３】
請求項１又は２に記載の顔タオルであって、
２枚のシートを重ねた二重構造によって構成されることを特徴とする顔タオル。
【考案の詳細な説明】
【技術分野】
【０００１】
本考案は、歯科診療を受ける患者の顔面に被せて用いられるとともに、一度の使用の後に廃棄される使い捨て用の顔タオルに関するものである。
【背景技術】
【０００２】
従来から、歯科診療を受ける患者の顔面に被せて用いられる顔タオルが公知である。
【０００３】
例えば、下記特許文献１には、歯や口腔などの治療の際に口の付近を除き顔面を覆うために用いられる被顔タオルが開示されている。特許文献１に開示される被顔タオルは、口内治療の際、口内から飛散する液体が顔や顔周辺にかかるのを防ぐための口内治療用の被顔タオルであって、口内を露出させるための窓孔の開口面積を、治療を受ける者の口の大きさに合わせて自由に調整でき、また、タオルを被せている間、タオルと鼻腔間にある程度の空隙ができ、息苦しさを感じることがない被顔タオルを提供することを考案の目的として成されたものである。そして、特許文献１に開示される被顔タオルは、図３に示されるように、歯や口腔などの治療を行うときに口の付近を除き顔面を覆うために使用される窓孔を有する被顔タオルであって、この窓孔外周からタオル外周にまで達するスリットが設けられ、このスリットを境にして、向かい合った一方の端部と他方の端部とを重ね合わせるように使用することができるという特徴を有するものである。
【０００４】
また例えば、下記特許文献２には、歯科や口腔の治療や処置を行なう場合に適する歯科・口腔用のタオルが開示されている。特許文献２に開示される歯科・口腔用のタオルは、通常のタオルに改良を加えるだけで、衣類が汚れるのを防止できるだけでなく、顔や頭部などに水滴や汚れが付着するのを防止でき、かつ水滴や汚れを拭き取ったりすることもでき、長時間にわたって目隠しもできるようにすることを発明の目的として成されたものである。そして、特許文献２に開示される歯科・口腔用のタオルは、図４に示されるように、タオルのほぼ中央に、人体の口の部分を露出できる程度の大きさの窓孔を開けて構成されるという特徴を有するものである。
【０００５】
また例えば、下記特許文献３には、口腔や口唇の治療・処置時に適する孔形状を有する口腔・口唇部処理専用タオルが開示されている。特許文献３に開示される口腔・口唇部処理専用タオルは、タオルの孔の形状を改良することで、被処置者に水滴や汚れが付着せず、皮膚への接触も防ぎ、被処置者及び処置者の負担を軽減することが出来るようにすることを考案の目的として成されたものである。そして、特許文献３に開示される口腔・口唇部処理専用タオルは、図５に示されるように、タオル中央部に、鼻頂部から口唇先端部分にかけて露出する、三角形の孔を空けたタオルとして構成されるという特徴を有するものである。
【先行技術文献】
【特許文献】
【０００６】
【特許文献１】実用新案登録第３１０８１８６号公報
【特許文献２】特開２００１−４６４０７号公報
【特許文献３】実用新案登録第３１１６７７３号公報
【考案の概要】
【考案が解決しようとする課題】
【０００７】
しかしながら、上掲した特許文献１〜３に記載された従来の顔タオルには、共通して課題が存在している。すなわち、特許文献１〜３に記載された従来の顔タオルは、全てのタオルが歯科診療を受ける患者の口の周りのみを開放する開口孔が開けられた構成を有するものであるが、歯科医師や歯科衛生士等の処置者が患者の口の付近で歯科医療等の作業を行う場合に、作業する手が顔タオルに触れてしまい、顔タオルがずれてしまうといった課題が存在していた。この課題は、特許文献１〜３に記載された発明・考案に代表される従来の顔タオルが、患者の顔の口以外の部分を覆い隠すことのみに重点を置き、処置者の作業性に対する考慮が不足していたことに起因するものであると考えられる。
【０００８】
また、特許文献１〜３に記載された従来の顔タオルは、使用後に洗濯を行って繰り返し使用することを前提としていると思われる。そして、繰り返し使用することから、特許文献１〜３に記載された従来の顔タオルは、布製であることが予想できる。しかしながら、従来の顔タオルのように布製で繰り返し使用する場合には、清潔感に欠けるとともに万一汚れが残っている場合には患者に対して不快な思いをさせてしまうことになるので、好ましくない。特に、新型コロナウイルス感染症が問題となっている近時の状況下にあっては、飛沫感染のリスク低減の観点からも、布製の顔タオルを繰り返し使用することは好ましくない。さらに、従来の布製の顔タオルは洗濯作業の負荷が大きく、人件費等のコスト面においても改善の余地が残されていた。
【０００９】
本考案は、上述した従来技術に存在する課題に鑑みて成されたものであって、患者の口周辺で処置者が作業を行ったとしても患者の顔から顔タオルがずれることが無く、しかも清潔でコスト面に優れた顔タオルを提供することを目的としてなされたものである。
【課題を解決するための手段】
【００１０】
本考案に係る顔タオルは、歯科診療を受ける患者の顔面に被せて用いられるとともに、一度の使用の後に廃棄される使い捨て用の顔タオルであって、略正方形をしたシート状部材に対し、当該シート状部材の一辺中央から中心に向けて略半楕円形状の切り欠きからなる切欠部を設けることで、全体の外観形状が略門型形状で形成され、前記略門型形状の略上半分が、患者の顔面の略上半分を覆う略矩形形状からなるシート部として構成され、前記略門型形状の略下半分が、前記切欠部の左右に形成されて患者の両頬から頚部にかけた部分を覆う一対の帯状部として構成され、前記一対の帯状部に挟まれた位置に設けられた前記切欠部が、顔タオルを患者の顔面に被せたときに、患者の鼻と口の部分を開放するとともに、前記一対の帯状部同士が接することが無いように形成されていることを特徴とするものである。
【００１１】
また、本考案に係る顔タオルは、綿１００％の素材で形成することができる。
【００１２】
さらに、本考案に係る顔タオルは、２枚のシートを重ねた二重構造によって構成することができる。
【考案の効果】
【００１３】
本考案によれば、患者の口周辺で処置者が作業を行ったとしても患者の顔から顔タオルがずれることが無く、しかも清潔でコスト面に優れた顔タオルを提供することができる。
【図面の簡単な説明】
【００１４】
【図１】本考案の実施形態に係る顔タオルを示す斜視図である。
【図２】本考案の実施形態に係る顔タオルの使用状態例を示す図である。
【図３】特許文献１の考案に係る被顔タオルの使用例を示す斜視図である。
【図４】特許文献２の発明に係る歯科・口腔用のタオルの使用例を示す正面図である。
【図５】特許文献３の考案に係る口腔・口唇部処理専用タオルの使用例を示す平面図である。
【考案を実施するための形態】
【００１５】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１６】
図１は、本考案の実施形態に係る顔タオルを示す斜視図である。また、図２は、本考案の実施形態に係る顔タオルの使用状態例を示す図である。
【００１７】
図１および図２に示すように、本実施形態の顔タオル１０は、歯科診療を受ける患者の顔面に被せて用いられるとともに、一度の使用の後に廃棄される使い捨て用の顔タオル１０である。
【００１８】
図１に示されるように、本実施形態の顔タオル１０は、全体の外観形状が平面視で略門型形状に形成されている。この略門型形状は、略正方形をしたシート状部材に対し、当該シート状部材の一辺中央から中心に向けて略半楕円形状の切り欠きからなる切欠部１２を設けることで形成される。本実施形態において、顔タオル１０は一辺が３００ｍｍで形成されており、切欠部１２の開口幅は１２２ｍｍとなっている。つまり、本実施形態の顔タオル１０は、四辺のそれぞれが３００ｍｍの長さを持つ略正方形をしたシート状部材に対し、当該シート状部材の一辺中央から中心に向けて略半楕円形状の切り欠きからなる切欠部１２を設けることで形成でき、この切欠部１２は、開口幅が１２２ｍｍであって、切り欠かれた奥行きの長さが約１５０ｍｍ程度のものである。なお、これらの寸法条件は、一般的な日本人の顔寸法を考慮して採用されたものであるから、本考案の範囲はこの寸法条件に限定されるものではない。本考案の顔タオルの寸法条件については、任意に変更が可能である。
【００１９】
また、全体の外観形状が略門型形状で形成される本実施形態の顔タオル１０については、図１および図２を対比参照すれば明らかなように、略門型形状の略上半分が、患者の顔面の略上半分を覆う略矩形形状からなるシート部１１として構成されるとともに、略門型形状の略下半分が、切欠部１２の左右に形成されて患者の両頬から頚部にかけた部分を覆う一対の帯状部１３，１３として構成されている。
【００２０】
さらに、本実施形態の顔タオル１０は、綿１００％の素材で形成されており、またさらに、２枚のシートを重ねた二重構造によって構成されている。
【００２１】
そして、本実施形態の顔タオル１０を歯科診療を受ける患者の顔面に被せて用いる場合には、図２に示されるように、略門型形状の略上半分を構成するシート部１１が患者の顔面の略上半分を覆うこととなり、患者の目や額や頭部等を適切に保護することとなる。
【００２２】
また、略門型形状の略下半分を構成する一対の帯状部１３，１３については、患者の両頬から頚部にかけた部分を覆うこととなる。この一対の帯状部１３，１３については、患者の頚部や肩の形状に沿ってもたれ掛かることとなり、顔タオル１０が患者の顔面からずれることを適切に防止する効果を発揮することができる。
【００２３】
さらに、本実施形態の顔タオル１０では、一対の帯状部１３，１３に挟まれた位置に設けられた切欠部１２が、顔タオル１０を患者の顔面に被せたときに、患者の鼻と口の部分を開放するとともに、一対の帯状部１３，１３同士が互いに接することが無いように形成されている。つまり、本実施形態の顔タオル１０においては、切欠部１２が存在することで、処置者が患者の口の付近で歯科医療等の作業を行う場合に、作業する手が顔タオル１０に触れてしまい、顔タオル１０がずれてしまうことを好適に防止することができるようになっている。
【００２４】
またさらに、本実施形態の顔タオル１０は、綿１００％の素材で形成されるとともに、２枚のシートを重ねた二重構造によって構成されているので、良好な肌触りを有するとともに、適度な重さを有することによる好適な位置保持力を有するものとなっている。
【００２５】
ところで、従来の顔タオルは、図３〜図５に示されるように、全ての顔タオルが歯科診療を受ける患者の口の周りのみを開放する開口孔が開けられた構成を有するものであった。したがって、従来の顔タオルには、歯科医師や歯科衛生士等の処置者が患者の口の付近で歯科医療等の作業を行う場合に、作業する手が顔タオルに触れてしまい、顔タオルがずれてしまうといった課題が存在していた。しかしながら、本実施形態の顔タオル１０では、切欠部１２が存在することで、処置者が作業をする際に顔タオル１０が邪魔になることが無い。
【００２６】
また、従来の顔タオルは、例えば図５に示されるように、患者の顔面に表面的に被せるだけなので、顔面に対して平面的に置かれるものであった。したがって、従来の顔タオルは、処置者の手が当たると簡単にずれを生じてしまうものであった。しかしながら、本実施形態の顔タオル１０については、当該顔タオル１０が有する一対の帯状部１３，１３が、患者の頚部や肩の形状に沿ってもたれ掛かることで、患者の顔面を覆ったときに三次元的な形状となって患者の顔面を覆うことになるので、顔タオル１０がずれてしまうことを好適に防止することができるという効果を発揮することが可能となっている。
【００２７】
さらに、本実施形態の顔タオル１０は、図１に示すように、簡易な構造を有することで大量生産が可能である。したがって、一度の使用の後に廃棄される使い捨て用として使用される場合であっても、本実施形態の顔タオル１０の方が、洗濯をして繰り返し使用される従来の顔タオルに比べてコスト面でも有利なメリットを得ることができる。さらに、本実施形態の顔タオル１０は、一度の使用の後に廃棄される使い捨て用として使用されることから、従来の顔タオルに比べて衛生面で優れているといえる。
【００２８】
以上、本考案の好適な実施形態について説明したが、本考案の技術的範囲は上記実施形態に記載の範囲には限定されない。上記実施形態には、多様な変更又は改良を加えることが可能である。その様な変更又は改良を加えた形態も本考案の技術的範囲に含まれ得ることが、実用新案登録請求の範囲の記載から明らかである。
【符号の説明】
【００２９】
１０      顔タオル
１１      シート部
１２      切欠部
１３      帯状部
【図１】
0003232350.tif 000003
【図２】
0003232350.tif 000004
【図３】
0003232350.tif 000005
【図４】
0003232350.tif 000006
【図５】
0003232350.tif 000007